Podtech/llm-jp-corpus-v4-ja_patent huggingface dataset:
(57)【要約】【課題】  電動モーター（１）によって駆動するトイレットペーパーを挟んで給紙するための２本のローラー（６）を設けたトイレットペーパーホルダーを提供する。【解決手段】  トイレットペーパーの端緒を挟む２本のローラー（６）と、そのローラー（６）を駆動するための電動モーター（１）（電池を動力源とする）を設けることを特徴とするトイレットペーパーホルダーである。【選択図】図３
2008006252.tif 000002
【特許請求の範囲】
【請求項１】
電池を動力源とするモーターで、モーターと同軸に固定する歯車と同歯車にかみ合う別の歯車を介して連動する２本のローラーを回転させることにより、必要量のトイレットペーパーを取り出すことのできるトイレットペーパーホルダー。
【発明の詳細な説明】
【技術分野】
【０００１】  本発明は、電動により必要量のトイレットペーパーを取り出すことのできるトイレットペーパーホルダーである。
【背景技術】
【０００２】  従来から、人の手によりペーパーを引き出すトイレットペーパーホルダーはあった。
【発明の開示】
【発明が解決しようとする課題】
【０００３】  従来品には、次のような問題点があった。
ア  トイレットペーパーの端緒を探し難いことがある。
イ  トイレットペーパーの端緒に指が掛かり難いため（特に高齢者）、取り出すことに不便がある。
ウ  トイレットペーパーを引き出した際、ブレーキがないため引いた勢いで空回りし、余分に引き出されることがある。
本発明は、これらの問題点を解決するためになされたものである。
【課題を解決するための手段】
【０００４】  上部に電動モーター（１）と、同モーター芯と同軸に固定する歯車ア（２）及び歯車ア（２）にかみ合う歯車イ（３）と、歯車イ（３）と同軸の歯車ウ（４）及び同軸で連動して回転する、ペーパーを挟んで給紙するための上下に接して他端に歯車エ（５）を固定した２本のローラー（６）を設けることを特徴とするトイレットペーパーホルダーである。
【発明の効果】
【０００５】  トイレットペーパーを設置する際に、ペーパーの端緒を２本のローラー（６）の間に挟んでおくことにより、ペーパーを必要とする際は、スイッチ（７）を押すとモーター（１）に連動して回転するローラー（６）がペーパーを押し出すので、手によってペーパーの端緒を探したり確保したりする必要がなく、ペーパーをスムーズに取り出すことできる。
【発明を実施するための最良の形態】
【０００６】  以下、本発明の実施の形態について説明する。
ア  ペーパーホルダーの上部位置に、電動モーター（１）を設け、モーター（１）の軸と同軸に歯車ア（２）を固定する。
イ  歯車ア（２）にかみ合う径の異なる歯車イ（３）と、歯車イ（３）と同軸で径が異なる歯車ウ（４）と、歯車ウ（４）と同径でかみ合う歯車エ（５）及び歯車ウ（４）及び歯車エ（５）とそれぞれに同軸で回転する上下に接する２本のローラー（６）を設ける。
ウ  なお、ローラー（６）の他端に歯車ウ（４）と歯車エ（５）と同じものをそれぞれ取り付ける。
本発明の主な構成は以上であり、これを使用するときは、スイッチ（７）を押すことによりモーター（１）を起動させる。起動したモーター（１）は、連動する各歯車により２本のローラー（６）を駆動させる。
２本のローラー（６）は互いに接して向かい合った方向で回転するため、予め２本のローラー（６）間に挟み込んでおいたペーパーを押し出すこととなる。
【図面の簡単な説明】
【０００７】
【図１】  本発明の正面断面図である。
【図２】  本発明の右側面断面図である。
【図３】  本発明にトイレットペーパーを設置する際の状況を示す全面カバー部の一部を欠いた透視図である。
【符号の説明】
【０００８】（１）電動モーター
（２）歯車ア
（３）歯車イ
（４）歯車ウ
（５）歯車エ
（６）ローラー
（７）スイッチ
（８）電池
（９）ペーパーカッター
（１０）トイレットペーパー
（１１）ペーパーの引出方向を示す
【図１】
2008006252.tif 000003
【図２】
2008006252.tif 000004
【図３】
2008006252.tif 000005
(57)【要約】【課題】  微生物の働きによって糞尿を分解処理するバイオトイレにおいて、必要不可欠である撹拌装置の、複数の長所を持つ効率のよい形状を提供する。【解決手段】  便器２と、この便器２の下部に設けられ投下された糞尿４を分解消滅させるための発酵処理槽３を有し、この発酵処理槽３内部の糞尿４及び発酵培地５を掻き混ぜる撹拌装置で、正回転すれば糞尿及び発酵培地５は軸に平行線上の一方に搬送され、この逆回転ではその反対方向に搬送される螺旋形状のスクリュー羽根７において、このスクリュー羽根７の内側に中心軸を持たないことを特徴とするバイオトイレ。【選択図】図３
2008006256.tif 000002
【特許請求の範囲】
【請求項１】
便器と、この便器の下部に設けられ投下された糞尿を分解消滅させるための発酵処理槽を有し、この発酵処理槽内部の糞尿及び発酵培地を掻き混ぜる撹拌装置で、正回転すれば糞尿及び発酵培地は軸に平行線上の一方に搬送され、この逆回転ではその反対方向に搬送される螺旋形状のスクリュー羽根において、このスクリュー羽根の内側に中心軸を持たないことを特徴とするバイオトイレ。
【発明の詳細な説明】
【技術分野】
【０００１】  本発明は微生物の働きによって糞尿を分解処理するバイオトイレの撹拌装置形状に関する。
【背景技術】
【０００２】  微生物の働きによって有機廃棄物を分解処理するトイレは汲み取りの必要がなく、下水に流す必要もないため、環境に優しいトイレとして以前から開発され知られている。（例えば、特許文献１参照）。
【特許文献１】特許第３１６０８５９号
【０００３】  上記したバイオトイレの多くは好気的な分解消滅を行うことと糞尿を発酵処理槽全体に分散させるため、発酵処理槽内部には撹拌装置が設けてあり、トイレの使用後又は一定時間間隔で撹拌運転を行うよう設計されている。【０００４】  地面と水平に設置される撹拌装置の形状に関しては各社それぞれで研究されており様々であるが、いずれも中心軸から撹拌羽根が取付けられている形状となっている。（例えば、特許文献２参照）。
【特許文献３】特許第３２７１６１５号
【０００５】
【発明の開示】
【発明が解決しようとする課題】
【０００６】  上記した通り、中心軸に撹拌羽根が取り付けられた形状が一般的ではあるが、実際の使用現場において屋外の公衆トイレでは様々な異物が投入される事が多く、撹拌羽根に中心軸が有ると異物が巻きつき易いことや、撹拌羽根の中心軸付近に糞尿及び発酵培地が固着して十分な撹拌が行われないことがあった。【０００７】  中心軸を有する撹拌羽根の形状は複雑にすればするほど、撹拌能力が上がる一方で撹拌軸への負荷が大きくなり、上記したような固着が起きたり、撹拌モータの容量を大きくする必要があった。【０００８】  また、大型の撹拌装置にすると軸の全長も長くする必要があり、大型の工作機械で加工せざるを得ず加工コストが高くなる問題があった。
【課題を解決するための手段】
【０００９】  便器と、この便器の下部に設けられ投下された糞尿を分解消滅させるための発酵処理槽を有し、この発酵処理槽内部の糞尿及び発酵培地を掻き混ぜる撹拌装置で、正回転すれば糞尿及び発酵培地は軸に平行線上の一方に搬送され、この逆回転ではその反対方向に搬送される螺旋形状のスクリュー羽根において、このスクリュー羽根の内側に中心軸を持たないことを特徴とするバイオトイレ。
【発明の効果】
【００１０】  スクリュー撹拌羽根の内側に中心軸が無いため、異物の巻き込みを抑制することができる。【００１１】  スクリュー撹拌羽根の内側に中心軸が無いため、軸に掛かる負荷が小さくなり、撹拌用モータの容量を小さくすることができる。【００１２】  通常、撹拌軸は撹拌羽根を一体構造にした状態で、両端の軸を機械加工する方法を用いて製作されるが、本発明の撹拌装置形状は両端の中心軸が独立しているため、機械加工は一体構造で行う必要がなく、両端の軸を単独で加工した後、溶接にて取り付けをする方法を用いて製作される。このため加工コストを下げることができる。
【発明の実施するための最良の形態】
【００１３】  図１は、本発明の実施の形態のバイオトイレ側面図である、図において、１はトイレハウスであり、２はトイレハウス１内部に設置された便器、３はトイレハウス１内部下面に設置された発酵処理槽であり、発酵処理槽３内部には発酵培地５が充填されており、便器２から発酵処理槽３へ糞尿４が投下され、発酵処理槽３内部の撹拌装置にて発酵培地５と糞尿４とが掻き混ぜられる構造となっている。
【００１４】また、１１は発酵土の排出口を示している。通常、微生物は無機物の分解処理ができないことから、発酵処理槽内部の無機物は徐々に蓄積されていくので、年に１、２回発酵培地５を排出して交換する必要があり、交換の際には発酵処理槽３側面にある排出口１１側へ搬送する方向に撹拌装置を回転させることで発酵培地５は自動的に排出される構造としている。
【００１５】  図２は本発明のバイオトイレの撹拌装置の構成図であり、地面と水平に発酵処理槽３内部に設置されている。図において６は両端側板、７はスクリュー羽根、８は丸棒羽根、９は両端中心軸、１０は撹拌モータを示している。
【００１６】  便器２から投入された糞尿４は撹拌モータ１０の運転により撹拌装置を回転駆動し、それに伴いスクリュー羽根７は発酵処理槽３の内周壁面に沿って一方方向に発酵培地５と糞尿４を撹拌しながら搬送し、丸棒羽根８によって適度に発酵培地５と糞尿４を切り返しを行い、また一定時間間隔で撹拌モータ１０の運転は正／逆回転を繰り返すことで一方向に片寄らないように全体を均等に撹拌する構造となっている。
【００１７】  図３は本発明のバイオトイレの撹拌装置の拡大斜視図である。図において、６は上記した両端側板、７はスクリュー羽根、８は丸棒羽根、９は両端中心軸を示しており、上記した通り両端の中心軸は独立している。
【００１８】スクリュー羽根７は平鋼を一定のピッチで螺旋状に成形したものであり、丸棒羽根８は４本として、このスクリュー羽根７を貫通しており、貫通した穴部分は溶接で固定されることにより、撹拌回転時に発酵土５と糞尿４の切り返しと同時に、軸に対して平行方向に対して不安定なスクリュー羽根７の補強も果たしている。
【図面の簡単な説明】
【００１９】
【図１】  本発明の実施の形態のバイオトイレ側面図である。
【図２】  本発明の撹拌装置の構成図である。
【図３】  本発明のバイオトイレ撹拌装置の拡大斜視図である。
【符号の説明】
【００２０】    １  トイレハウス、２  便器、３  発酵処理槽、４  糞尿、５  発酵培地、６  両端側板、７  スクリュー羽根、８  丸棒羽根、９  両端中心軸、１０  撹拌モータ、１１  排出口
【図１】
2008006256.tif 000003
【図２】
2008006256.tif 000004
【図３】
2008006256.tif 000005
(57)【要約】      （修正有）【課題】  サッカ−観戦で，ネット裏の観客席からゴ−ルネット越しに見る競技を、見やすくしたゴールネットを提供する。【解決手段】  観客席側から見えるネット部分を黒色ゴ−ルネット１とし、競技場内側から見えるネット部分をを白色ネット２とする。【選択図】図３
2008006237.tif 000002
【特許請求の範囲】
【請求項１】
ネットの色を観客側から見えるネット部分は，黒を基調とした暗い色にして，競技場内側から見えるネット部分は，白を基調とした明るい色にした，表裏色違いゴ−ルネット。
【発明の詳細な説明】
【技術分野】
【０００１】  本発明は，サッカ−において競技場側と観客席側を色分けしたゴ−ルネットに関するものである。
【背景技術】
【０００２】  なし
【発明の開示】
【発明が解決しょうとする課題】
【０００３】  従来は，ゴ−ルの瞬間を確認しやすくするため，白色のゴ−ルネットが多く使用されていた，しかし，観客席からゴ−ルネット越しに見る競技は見にくいものであった。
【課題を解決するための手段】
【０００４】  上記のことを防止するために，本発明は，観客席側から見えるゴ−ルネットを黒色にすることで，ゴ−ルネット越しの観戦も透明度が増してくる。
【発明の効果】
【０００５】  本発明により，ゴ−ルネット裏の観客席からも光を吸収する黒色により透明度が上がるものである。
【発明を実施するための最良の形態】
【０００６】  以下，本発明の実施の形態について説明する。
図３，図４に示すように，ネットを表裏二色にしたものでサッカ−の選手及び審判側には，ゴ−ルの瞬間を遠距離から確認する必要から白色のネットにする。ゴ−ルネット裏の観客席側は長い間の観戦を重視して黒色とする。
【産業上の利用可能性】
【０００７】  本発明に係わる表裏色違いゴ−ルネットは，工業的に量産する事が可能であるため，産業上の利用可能性を有する。
【図面の簡単な説明】
【０００８】
【図１】  本発明の斜視図である。
【図２】  本発明の黒色ネット面の平面図である。
【図３】  本発明の図４におけるＡ−Ａ′線の拡大断面図。
【図４】  本発明の競技場に面する白色ネットの一部拡大図。
【図５】  本発明の観客席に面する黒色ネットの一部拡大図。
【符号の説明】
【０００９】  １    黒色ゴ−ルネット
２    白色ゴ−ルネット
３    クロスバ−
４    ポ−ル
５    ネットの結び目
【図１】
2008006237.tif 000003
【図２】
2008006237.tif 000004
【図３】
2008006237.tif 000005
【図４】
2008006237.tif 000006
【図５】
2008006237.tif 000007
(57)【要約】【課題】最近、小学生への犯罪が多発しており、その防御策として各個にブザーを持たせたり携帯電話を持たせる家庭も多い。然しそれらは緊急信号を発信する前に奪われてしまえば何の役にも立たない。発信した後でも壊されたり音が小さくなる方法を取られる場合もある。奪われる心配も少なく、危険を察知したら大きな音と光で近くにいる人に知らせ、簡単にはこの音や光を消すことが難しく、然も携帯して負担が少ない方法が殆どなかった。【解決手段】多少の重量があっても携帯して負担感が少ない方法としてランドセルに大きな警報用ランプとブザー又はサイレンを取り付け、子供が背負った状態で簡単に手の届く場所に、それらを同時に働かせるＯＮのみのスイッチを設け、それらを止めるスイッチや電池、配線などはランドセルの内部奥に設置し、たとえランドセルを奪われたとしても、音を止めるにはかなりの時間を必要となるようにして解決。【選択図】図２
2008006233.tif 000002
【特許請求の範囲】
【請求項１】
ランドセルの背部に警報用ランプを取り付け、その蓋にランプに嵌合する穴を開け、本体の一部に発音機を取り付け、背負った時に少なくとも子供の手が届く場所に警報用ランプと発音機を同時に働かせるためのＯＮのみのスイッチを設け、更にランドセル本体内部の奥に点灯している警報用ランプ及び鳴っている発音機の音を止めるスイッチ及び電池ケースを設けた小学生のランドセル。
【請求項２】
点灯するとその反射板がランプの周りを回転する請求項１の小学生用ランドセル
【請求項３】
警報用ランプが複数のＬＥＤで構成され、そのＬＥＤが回転して見えるように連続して点滅し、それらが取り付けてある背面板が光が当たると反射して光る反射シートになっている請求項１の小学生用ランドセル。
【発明の詳細な説明】
【技術分野】
【０００１】  本発明は小学生などが誘拐等の被害を周囲にいる人たちに知らせるだけでなく、その被害を未然に防ぐためにランドセルに取り付け加工した警報装置付きランドセルに関するものである。
【背景技術】
【０００２】  最近、子供たちが特に通学途中で誘拐され、殺傷される事件が日常茶飯事のように起こり、児童全員に非常ブザー持たせたり集団登下校をさせたりと各種の対策方法も取られているがこれもその一つである。
【特許文献】特開２００６−５１１８６
【実用新案文献】
昭５２−８７４０５
【実用新案文献】
第３１０４７８８号
【発明の開示】
【発明が解決しようとする課題】
【０００３】  割れた窓を放置しておくと泥棒が入り易いという割れ窓理論があるように、常に警戒しているのだ、ということを加害者に知らせるだけでもある程度の効果は期待できると考えた。携帯用非常ブザーも小さく軽量なので音量にも制限があり、計画的犯行では取り上げられて衣類などに包み込まれたり密閉ケースなどに入れられるとあまり役に立たなくなる可能性がある。イメージとして加害者側から見て一番嫌なことはパトカーのサイレンと赤色灯の点滅と考えた。本発明はこれらに基づいた方法で解決しようとするものである。
【課題を解決するための手段】
【０００４】  警報用ランプは小さくて弱い光ではあまり意味がない。大きくすれは重くなり、光を強くしたければ電池も大きくなる可能性が大きい。非常用フザーもより大きな音響で響かせたい。そこで子供に最小限の負担で済むランドセルに取り付け組み込むことを考えた。ランドセルであれば取り上げられてスイッチが入れられなくなる心配も大幅に減少でき、取り上げられたとしても全体を密閉して音を小さくすることも難しくなり、それらを切るスイッチをランドセル内部奥に設ければ容易にこれらを止めることが出来なくなる。【０００５】  警報用ランプが最も目立つところはランドセルの後ろの真中であうと考えたがランドセルの蓋に取り付けると開け閉めに不便なので本体に取り付け、それに嵌合する形で蓋に穴を開けた。警報用発音機は何処に取り付けても問題はない。発音機と電源は内蔵なので大型化が可能になり、サイレンのような大きい音を発する装置も可能になる。警報用ランプと発音機をＯＮにするには子供が簡単に手が届く場所の必要があり、簡単に切ることが出来ない場所にＯＦＦにするスイッチを取り付ける必要がある。勿論電池を抜かれても切ることができるので、このことも考慮する必要がある。
【発明の効果】
【０００６】  本発明はランドセルにパトカーの赤色灯を想像させる緊急赤色灯を組み込むことにより子供に対する犯罪を起き難くし、危険を察知したなら引き抜くか押しボタンスイッチを強く押せば即座に大音響のサイレン又はブザーが鳴り、赤色灯が点灯して近くにいる人たちに知らせる。これはパトカーの赤色ランプとサイレンをイメージしているが、必ずしも赤色の必要はない。スイッチを切るためには中に入っている教科書やノートを取り出した後でないと内部の奥のスイッチに手が届かないし配線を切ったり電池を抜くことができない。
警報用ランプは強力であるほど効果的である。一案としてその反射板がランプの周囲を回転し、赤色の透明、又は半透明のカバーで覆う。別の案としてＬＥＤを円形に配置し回転して見えるように連続して点滅しても良い。ＬＥＤの取り付け基板に、光が当たると反射して光る反射シートを貼ったものは交通事故防止の効果もある。
【発明を実施するための最良の形態】
【０００７】  小学生用ランドセルの後部に赤色灯を設け、その蓋の部分に赤色灯がそこから外部に出るような穴を開ける。その赤色灯は警察のパトカーのようにランプの周りに、点灯すると回転する反射板を設け、それを透明又は半透明の赤いカバーで覆う。但し必ずしも反射板を回転させる必要はない。赤色灯の別案としてＬＥＤを円形状に配置して連続点滅させ、あたかも回転しているように見せても効果的だ。高輝度ＬＥＤを使っても良い。後部には光を受けると反射する反射シートを貼れば別の効果も期待できる。
発音機は何処に取り付けても固定してあれば容易に外すことは出来ない。緊急時に入れるスイッチは、例えば肩の部分など子供の手が簡単に届く位置に、引き抜きタイプや押しボタンのスイッチを設ける。警報用ランプと発音機を切るスイッチや電池、その他の配線部分はランドセルの中の奥に設置し、本やノートなどを取り出さないと手が容易に届かない構造だ。
【図面の簡単な説明】
【０００８】
【図１】警報用ランプを取り付けたランドセルの蓋を開けた斜視図
【図２】同蓋を閉めた斜視図
【図３】赤色灯の一例
【図４】ＬＥＤを使った警報用ランプの一例
【符号の説明】
【０００９】１  ランドセル本体
２  警報用赤色灯
３  ランドセルの蓋
４  ＯＮのみ働くスイッチの位置の一例
５  背ベルト
６  ランプ
７  透明又は半透明の赤色カバー
８  回転可能な反射板
９  教科書やノート
１０  ランドセルの蓋に開けた穴
１１  透明カバー
１２  ＬＥＤ
１３  光反射シート
【図１】
2008006233.tif 000003
【図２】
2008006233.tif 000004
【図３】
2008006233.tif 000005
【図４】
2008006233.tif 000006
(57)【要約】【課題】従来のインプラント歯科補綴物には、ロストワックス法、エレクトロフォーミング法などがあった。この技法においては、高額、高水準の設備と技術が必要となる。【解決手段】酸化膜を生成できる、貴金属、非金属、合金で造られたアバットメントおよび加工可能な既製アバットメントを使用することにより、高額、高水準の設備と技術を必要とせずに、容易にインプラント歯科補綴物の制作ができる。【選択図】図２
2008006239.tif 000002
【特許請求の範囲】
【請求項１】
インプラント歯科補綴物における、酸化膜を生成できる、貴金属、非金属、合金で制作されたアバットメントおよび加工可能な既製アバットメント。
【発明の詳細な説明】
【技術分野】
【０００１】本発明は歯科医療におけるインプラント補綴の精度向上を図るためのアバットメントに関する。
【背景技術】
【０００２】従来のアバットメントには、ロストワックス法、エレクトロフォーミング法などがある
（例えば非特許文献１、２参照）
【非特許文献１】歯科技工辞典ｐ３３５、１９９７年第１版第６刷発行、医歯薬出版株式会社
【非特許文献２】ＱＤＴ２００６年２月号ｐ８１〜８９、クインテッセンス出版株式会社
【発明の開示】
【発明が解決しようとする課題】
【０００３】以上、既製アバットメント上に、歯科補綴物を制作するにあたり、ロストワックス法、エレクトロフォーミング法などが用いられていたが、適合精度の向上を図る上で、一般的に高額、高水準の設備と技術が必要となるそれ故、高額な補綴物となる。【０００４】本発明は、このような従来の構成が有していた問題を解決しようとするものであり、高水準な適合精度を、一般的な歯科技工設備のある歯科技工室で、容易に安価にて歯科補綴物が制作できる目的である。
【課題を解決するための手段】
【０００５】アバットメントを酸化膜を生成できる、貴金属、非金属、合金を使用することにより、酸化皮膜を生成し、直接金属を鋳込み、歯科補綴物用鋳造フレームの分離を図る。【０００６】以上、アバットメントに、直接歯科補綴物となる金属を鋳込むことにより、従来法では求められなかった、適合精度を得られる。
【発明の効果】
【０００７】アバットメント上に、歯科補綴物を制作するにあたり、ロストワックス法、エレクトロフォーミング法などが用いられていたが、高額、高水準の設備と技術が必要とされていた、本発明により、顕微鏡下においても従来法以上の良好な適合精度が得られた。
【発明を実施するための最良の形態】
【０００８】酸化膜を生成できる、貴金属、非金属、合金で造られたアバットメントおよび加工可能な既製アバットメントを使用する。
【実施例】
【０００９】酸化膜を生成できる、貴金属、非金属、合金で造られたアバットメントおよび、加工可能な既製アバットメントに、酸化膜を生成し、補綴物に使用する金属を直接鋳込み鋳込み、歯科補綴物用鋳造フレームを分離をする。
【産業上の利用可能性】
【００１０】インプラント歯科補綴物の口腔内における適合精度の向上【００１１】インプラント歯科補綴物制作の簡素化
【図面の簡単な説明】
【００１２】
【図１】  インプラント歯科補綴物の要約図
【図２】  本発明の断面図
【符号の説明】
【００１３】      １  インプラントフィクスチャー
２  歯槽骨
３  歯肉部
４  アバットメント固定用スクリュー
５  本発明のキャストオン用アバットメント
６  歯科補綴物用鋳造フレーム
７  生成される酸化皮膜
８  前装用歯科材料もしくは、金属
９  鋳造入り口
【図１】
2008006239.tif 000003
【図２】
2008006239.tif 000004
(57)【要約】【課題】    雨天時に出かける際、傘では防げない足元の雨濡れを防ぐ足元雨除けを提供する。【解決手段】    防水性のビニール素材で靴下を少し膨らませた形状を有し、足挿入部には巾着紐を通したふちを設け、ふちは巾着紐により伸縮可能とし、足挿入部は開閉自在とする。ふちからつま先部までの途中部位にマジックテープを付したベルトを設け、更に下部にマジックテープ受けを付したベルトを設ける。ベルトとベルトの間のビニール素材は長めに形成し、マジックテープを留めることにより短縮可能とする。靴を履いたまま履けて、装着時には巾着紐によりふちを足に固定する。又、使用後は巾着紐によりふちを閉じてから専用の入れ物に入れて携帯できることを特徴とする足元雨除け。【選択図】図１
2008006235.tif 000002
【特許請求の範囲】
【発明の詳細な説明】
【技術分野】
【０００１】  本発明は、雨天時に出かける際、傘では防げない足元の雨濡れを防ぐ足元雨除けに関するものである。
【背景技術】
【０００２】  従来、雨天時に出かける際、傘を使用しても足元の雨濡れは防げていなかった。
【発明の開示】
【発明が解決しようとする課題】
【０００３】  そのために、次のような問題点があった。
（イ）雨天時に傘を差して出かけても足元が濡れて気持ち悪かった。
（ロ）雨天時に足元の雨濡れを防ぐために長靴を履いて出かける場合、普段履いている靴を置いていくか、持参する必要があり煩わしかった。
本発明は、以上の問題点を解決しようとするものである。
【課題を解決するための手段】
【０００４】  防水性のビニール素材で靴下を少し膨らませた形状を有し、足挿入部には巾着紐を通したふちを設け、ふちは巾着紐により伸縮可能とし、足挿入部は開閉自在とする。ふちからつま先部までの途中部位にマジックテープを付したベルトを設け、更に下部にマジックテープ受を付したベルトを設ける。ベルトとベルトの間のビニール素材は長めに形成し、マジックテープを留めることにより短縮可能とする。靴を履いたまま履けて、装着時には巾着紐によりふちを足に固定する。又、使用後は巾着紐によりふちを閉じてから専用の入れ物に入れて携帯できる。以上を特徴とする足元雨除けである。
【発明の効果】
【０００５】  本発明は、雨天時に傘だけでは防げなかった足元の雨濡れを防げる。また、ビニール素材で構成することにより折りたため重量も軽量化されるため携行を可能とし、外出時の突然の雨にも備えることが出来る。
【発明を実施するための最良の形態】
【０００６】  以下、本発明の実施の形態を説明する。
（イ）巾着紐（１ａ）を穴（１ｂ）に通して成る円形状のふち（１）を靴下の形状を有したビニール素材（２）の上部に設ける。
（ロ）ふち（１）からつま先部までの途中部位にマジックテープ（３ａ）を付した円形状のベルト（３）を設け、さらに下部にマジックテープ受け（４ａ）を付した円形状のベルト（４）を設け、ベルト（３）とベルト（４）の間のビニール素材（２）は長めに形成する。
（ハ）ベルト（４）の下部のビニール素材（２）は靴とどうようの形状で構成する。
本発明は以上の構成よりなっている。
本発明を使用するときは、ふち（１）を巾着紐（１ａ）により広げ、足挿入部（５）に靴を履いたままで足（６）を挿入して履き、マジックテープ（３ａ）をはずし、ビニール素材を伸ばし、具合の良いところまで伸ばした後ふち（１）を巾着紐（１ａ）により足に固定し着用する。なお、使用後にはふち（１）を巾着紐（１ａ）により緩め開口し足（６）を出し、マジックテープを留め、ふち（１）を閉じた後、専用の入れ物に入れて携行する。
【図面の簡単な説明】
【０００７】
【図１】本発明の斜視図
【図２】本発明の斜視図
【図３】本発明の使用している状態を示す側面図
【図４】本発明の斜視図
【符号の説明】
【０００８】１    ふち
１ａ  巾着紐
１ｂ  穴
２    ビニール素材
３    ベルト
３ａ  マジックテープ
４    ベルト
４ａ  マジックテープ受け
５    足挿入部
６    足
【図１】
2008006235.tif 000003
【図２】
2008006235.tif 000004
【図３】
2008006235.tif 000005
【図４】
2008006235.tif 000006
【手続補正書】
【提出日】平成18年11月23日(2006.11.23)
【手続補正１】
【補正対象書類名】特許請求の範囲
【補正対象項目名】全文
【補正方法】変更
【補正の内容】
【特許請求の範囲】
【請求項１】
防水性のビニール素材で靴下を少し膨らませた形状を有し、足挿入部には巾着紐を通したふちを設け、ふちは巾着紐により伸縮可能とし、足挿入部は開閉自在とし、ふちからつま先部までの途中部位にマジックテープを付したベルトを設け、更に下部にマジックテープ受を付したベルトを設け、ベルトとベルトの間のビニール素材は長めに形成し、マジックテープを留めることにより短縮可能とし、靴を履いたまま履けて、装着時には巾着紐によりふちを足に固定し、使用後は巾着紐によりふちを閉じてから専用の入れ物に入れて携帯できる事を特徴とする足元雨除け。
(57)【要約】【課題】    お弁当を販売する店の商品授受の際に店員がお弁当をビニール袋に入れて利用客に渡すことで生じる煩わしさを解消する、お弁当手持ちを提供する。【解決手段】    お弁当容器の底面と同じ幅の薄い堅めの紙の両端に紙でできた取っ手を付し、それぞれ同じ長さにし、堅めの紙にはお弁当を結わえるゴムを中央に付し、そのゴムでお弁当を結わえ、取っ手はお弁当容器の上面で折りたたまれた状態で店内の棚に陳列させ、利用客はそのお弁当をレジに運び店員は会計後に割り箸をゴムに通した後すぐに渡せる。以上を特徴とするお弁当手持ち。【選択図】図３
2008006236.tif 000002
【特許請求の範囲】
【請求項１】
お弁当容器の底面と同じ幅の薄い堅めの紙の両端に紙でできた取っ手を付しそれぞれ同じ長さにし、堅めの紙にはお弁当を結わえるゴムを中央に付し、そのゴムでお弁当を結わえ、取っ手はお弁当容器の上面で折りたたまれた状態で店内の棚に陳列させ、利用客はそのお弁当をレジに運び店員は会計後に割り箸をゴムに通した後すぐに渡せる。以上を特徴とするお弁当手持ち。
【発明の詳細な説明】
【技術分野】
【０００１】  本発明は、お弁当を販売する店の商品授受の際に店員がお弁当をビニール袋に入れて利用客に渡す事で生じる煩わしさを解消する、お弁当手持ちに関するものである。
【背景技術】
【０００２】  従来、お弁当を販売するお店ではお弁当を購入された利用客にはお弁当をビニール袋に入れてから渡していた。
利用客からビニール袋不要の意思表示が無い限り自動的にビニール袋が使用されていた。
【発明の開示】
【発明が解決しようとする課題】
【０００３】  そのために、次のような問題点があった。
（イ）利用客がお弁当を購入される度にビニール袋を使用するためゴミが増えていた。
（ロ）お弁当をビニール袋に入れる作業に時間がかかっていた。
（ハ）お弁当をビニール袋に入れる際に上手に入れないと利用客が持ち帰る間にお弁当が傾き利用客に不快な思いをさせていた
本発明は以上の問題点を解決するためになされたものである。
【課題を解決するための手段】
【０００４】  お弁当容器の底面と同じ幅の薄い堅めの紙の両端に紙でできた取っ手を付しそれぞれ同じ長さにし、堅めの紙にはお弁当を結わえるゴムを中央に付し、そのゴムでお弁当を結わえ、取っ手はお弁当容器の上面で折りたたまれた状態で店内の棚に陳列させ、利用客はそのお弁当をレジに運び店員は会計後に割り箸をゴムに通した後すぐに渡せる。以上を特徴とするお弁当手持ちである。
【発明の効果】
【０００５】  本発明は、お弁当を購入する利用客毎に出ていたビニール袋のゴミを減少させる。
利用客を待たせずに商品授受を完了させる。
利用客がお弁当を持ち帰る際にお弁当が傾く不安を解消する。
【発明を実施するための最良の形態】
【０００６】以下、本発明の実施の形態を説明する。
（イ）薄い堅めの紙（１）の両端に紙でできた同じ長さの円弧状の取って（２）を２つ付す。
（ロ）薄い堅めの紙（１）には中央にゴム（３）を付し、ゴム（３）はお弁当（４）を結わえる程に伸縮可能とする。
本発明は、以上の構成よりなっている。
本発明を使用するときは、上記のお弁当手持ちをお弁当（４）に結わえた後商品棚に陳列する。
利用客がお弁当（４）をレジに持って来たら会計後、割り箸（５）をゴム（３）に通してから渡す。
【図面の簡単な説明】
【０００７】
【図１】本発明の斜視図
【図２】本発明を使用している状態を示す斜視図
【図３】本発明を使用している状態を示す斜視図
【符号の説明】
【０００８】１  紙
２  取っ手
３  ゴム
４  お弁当
５  割り箸
【図１】
2008006236.tif 000003
【図２】
2008006236.tif 000004
【図３】
2008006236.tif 000005
(57)【要約】【課題】  睡眠中における寝具内にて、掛布団の重さによる足首への圧迫から生じる不快感を取り除くこと、つま先が足の底側に屈曲することで起こりやすくなるこむら返りの防止、また長期寝たきりから起こりうる尖足の危険の予防、となる簡易な足首安楽補助具を提供する。【解決手段】  立体の台形または三角形状からなる弾性のある材質物を布等で被覆した補助具であり、寝具内において使用者の足元に設置され、敷布団またはベッドマットレス等の下を通したり、あるいはベッドマットレスの側面上方周囲にめぐらせたりしたベルトが、補助具両側面に設けられた着脱自在パーツに連結されることで敷具に固定されることを特徴とする。【選択図】図１
2008006238.tif 000002
【特許請求の範囲】
【請求項１】
立体の台形または三角形状からなる弾性のある材質物を布等で被覆し、両側面に着脱自在なパーツを有する本体と、該パーツに連結されるベルトで構成された足首安楽補助具。
【発明の詳細な説明】
【技術分野】
【０００１】  本発明は、就寝中における掛布団の重さからくる足首への圧迫による不快感、及び長時間圧迫状態から生じ易くなるこむら返り、また長期寝たきり等による尖足の予防にもなりうる、足首を保護し、安楽に保つ補助具に関するものである。
【背景技術】
【０００２】  従来、就寝時においては重力や掛布団の重みのために足先が常に足の底側に伸ばされる形となり、この状態が足首の不快感を招き、時にはこむら返りを起こしたり、介護を必要とする長期寝たきりのお年寄りの足首の腱が縮んだまま固まり、尖足になってしまう危険もあった。そこで、座布団の二つ折り等を足裏に当てる、ベッドのフットボードに体の位置を下げて足裏を当てる等の対処がなされていた。【０００３】  また足首への圧迫解消のため、足元に掛布団保持器具を置き空間を確保する、足首に装着したベルト等でつま先を吊り尖足位を防止する、ブーツ状器具にて足首角度を保持するなどの技術は知られている。また、多目的使用を目的としたクッション体を足裏に当て、足首角度の保持も行われている。
なお、足を載せ、足元を高くする足枕はよく知られており形状は似ているが、掛布団の圧迫からくる不快感の解消の目的からはかけ離れる。【０００４】  なお、本発明に関連する公知技術として次の特許文献１、２、３、４、５を挙げることができる。
【特許文献１】  特開２００１−５４５３４号公報
【特許文献２】  実開平５−７４３５３号公報
【特許文献３】  実開平７−４４２９３号公報
【特許文献４】  実開平７−２７５７１号公報
【特許文献５】  登録実用新案第３０８９３６５号公報
【発明の開示】
【発明が解決しようとする課題】
【０００５】  しかしながら次のような問題点があった。
足元に座布団等を置いただけでは、固定されていないために足先に押されてずれてしまうことがある。またベッドのフットボードに足を当てるのでは足先が冷たい、体の位置が従来の就寝位置からずれる、といった不便がある。
また、器具等を使い足元の掛布団を持ち上げる場合は、重力からくる自然な足先の屈曲は免れない。さらに積極的尖足予防、治療器具として、ブーツ式装着具、足首からのベルト等によるつま先吊り上げ式の保持具があるが、この場合は常時装着のため常に足首の角度固定状態にあり、着脱の手間がある。
本発明は、以上の問題点を解決するためになされたものである。
【課題を解決するための手段】
【０００６】  立体の台形または三角形状からなる弾性のある材質物を布等で被覆した形状で、両側面に着脱自在なパーツを有する本体と、該パーツに連結されるベルトとで構成される、足首安楽補助具である。
【発明の効果】
【０００７】  就寝中、足裏が補助具の正面平担部に当たり、足先が足底方向に反り返ることなく適宜な角度に固定され、尖足状態を防ぐことが出来る。これにより就寝中突然起こるこむら返りを防ぐことが出来る。また日常的に使用することで、足首の角度が良い状態に保たれるのでアキレス腱の縮みもなく、尖足が予防される。
補助具の高さは成人の平均足裏サイズ程度にすることで、補助具によって掛布団が支えられ布団の圧迫を避けることが出来るので、足首に負担がかからない。さらに補助具両側面に設けられた連結部よりのびるベルトが、敷布団またはベッドマットレス等敷具の下を通り一周して補助具と敷具を押さえつけたり、あるいはベッドマットレスの側面上方周囲にめぐらせることで固定されるので、就寝中足先に押されて補助具が動いてしまうこともない。また、ベルトと補助具本体の連結部が側面に設けられているため、就寝者は上体を起こすだけで補助具の位置調整が簡単に出来る。
【発明を実施するための最良の形態】
【０００８】  以下、本発明を実施するための最良の形態を説明する。
（イ）台形または三角形状の弾性材質の立体物を布で被覆する、または布等で型を起こして縫製し、中に詰物をいれて形成した本体（１）を作る。
（ロ）本体（１）の両側面に着脱自在な連結パーツ（２ａ）（２ｂ）を設ける。
（ハ）ベルト（３）の両端に着脱自在な連結パーツ（２ｃ）（２ｄ）を設ける。
（二）ベルト（３）を敷布団、またはベッドマットレス等敷具の下をくぐらせるか、又はベッドマットレス側面上方周囲にめぐらせ、就寝者の足元位置付近に置かれた本体（１）の側面連結パーツ（２ａ）と（２ｂ）に、ベルト連結パーツ（２ｃ）と（２ｄ）をそれぞれ繋ぐ。
本発明は以上のような構成である。【０００９】  使い方は、就寝者の足裏に本体（１）の正面平担部（４）が当たるように設置する。これにより足首角度は常に一定を保つことが出来る。ただし同じ体勢に疲れ、つま先を伸ばしたいときには、膝を曲げるなどすれば足首はすぐ自由になる。また正面平担部（４）にポケット（５ａ）（５ｂ）を設け、季節に応じて携帯カイロ、保冷材等を入れれば、足元をいっそう快適にすることが出来る。本体（１）の高さは成人の平均的足裏サイズ程度にし、掛布団の圧迫が足首にかからないようにする。本体（１）はベルト（３）にて固定されるが、本体内部下方にゴム板等重い材質物（６）を一部使用するとさらに安定が増す。補助具本体底部表面に滑り止め加工を施せばいっそうのずれ防止となる。
【図面の簡単な説明】
【００１０】
【図１】本発明の斜視図
【図２】本発明の正面図
【図３】本発明の右側面図
【図４】本発明の使用状態を示す斜視図
【図５】本発明の他の使用状態を示す側面図
【図６】本発明の他の形状を示す右側面図
【符号の説明】
【００１１】  １  本体
２ａ、２ｂ、２ｃ、２ｄ  連結パーツ
３  ベルト
４  正面平担部
５ａ、５ｂ  ポケット
６  重い材質物
【図１】
2008006238.tif 000003
【図２】
2008006238.tif 000004
【図３】
2008006238.tif 000005
【図４】
2008006238.tif 000006
【図５】
2008006238.tif 000007
【図６】
2008006238.tif 000008
(57)【要約】【課題】  信頼性が高く、低コストで、組立作業性の良い産業用ロボットを提供する。【解決手段】  関節部の駆動シャフトに、表面に設けられた螺旋状の切り欠き部と、回転軸方向に設けられるとともに端部から前記切欠き部へと通じる貫通穴と、を備え、機内配線ケーブルを前記貫通穴から前記螺旋状の切欠き部へと配設する。【選択図】図１
2008006552.tif 000002
【特許請求の範囲】
【請求項１】
モータと、前記モータによって駆動されるシャフトと、を含む関節部を備えた産業用ロボットにおいて、
前記シャフトは、前記シャフトの長手方向に沿って側面に設けられた螺旋状の切り欠き部と、
前記シャフトの回転軸方向に設けられるとともに前記シャフトの端部から前記切欠き部へと通じる貫通穴と、を備え、
機内配線ケーブルが前記貫通穴から前記螺旋状の切欠き部へと配設されることを特徴とする産業用ロボット。
【請求項２】
モータと、前記モータによって駆動されるシャフトと、を備えた駆動装置において、
前記シャフトは、前記シャフトの長手方向に沿って側面に設けられた螺旋状の切り欠き部と、
前記シャフトの回転軸方向に設けられるとともに前記シャフトの端部から前記切欠き部へと通じる貫通穴と、を備え、
機内配線ケーブルが前記貫通穴から前記螺旋状の切欠き部へと配設されることを特徴とする駆動装置。
【請求項３】
駆動手段によって回転駆動される動力伝達シャフトにおいて、
長手方向に沿って側面に設けられた螺旋状の切り欠き部と、
回転軸方向に設けられるとともに端部から前記切欠き部へと通じる貫通穴と、を備えたことを特徴とする動力伝達シャフト。
【発明の詳細な説明】
【技術分野】
【０００１】
本発明は、動力伝達シャフト、駆動装置に関し、特にアーム内のケーブル処理に係る産業用ロボットに関する。  
【背景技術】
【０００２】
従来の産業用ロボットは、関節部にケーブルを挿通させるために、中空減速機を使用している（例えば、特許文献１参照）。
図３において、胴体を駆動する胴体駆動用モータ１４と減速機１５は、Ｒ軸に対してオフセットして上部アーム４に設置され、胴体駆動用モータ１４と連結された胴体駆動用ギヤ１３が中空状に構成されるとともに、上部アーム４の内部にＲ軸と同心に配置されている。
上記構成の下、ケーブルは胴体駆動用ギヤ１３の中空部に通して反対側に引き出されていた。
【特許文献１】特開２００４−３５８６４９号公報（第５−６頁、図３）
【発明の開示】
【発明が解決しようとする課題】
【０００３】
従来の産業用ロボットは、ケーブルを通すための関節部の部品点数が多く、信頼性が低下する上、コストが高い、という問題があった。さらに組立時の作業性も良くなかった。
また、筐体によるケーブルの押さえつけによる軸の回転動作領域の制限があった。
本発明はこのような問題点に鑑みてなされたものであり、信頼性が高く、低コストで、組立作業性の良い産業用ロボットを提供することを目的とする。
【課題を解決するための手段】
【０００４】
上記問題を解決するため、本発明は、次のように構成したのである。
請求項１に記載の発明は、モータと、前記モータによって駆動されるシャフトと、を含む関節部を備えた産業用ロボットにおいて、前記シャフトは、前記シャフトの長手方向に沿って側面に設けられた螺旋状の切り欠き部と、前記シャフトの回転軸方向に設けられるとともに前記シャフトの端部から前記切欠き部へと通じる貫通穴と、を備え、機内配線ケーブルが前記貫通穴から前記螺旋状の切欠き部へと配設されることを特徴とするものである。
また、請求項２に記載の発明は、モータと、前記モータによって駆動されるシャフトと、を備えた駆動装置において、前記シャフトは、前記シャフトの長手方向に沿って側面に設けられた螺旋状の切り欠き部と、前記シャフトの回転軸方向に設けられるとともに前記シャフトの端部から前記切欠き部へと通じる貫通穴と、を備え、機内配線ケーブルが前記貫通穴から前記螺旋状の切欠き部へと配設されることを特徴とするものである。
また、請求項３に記載の発明は、駆動手段によって回転駆動される動力伝達シャフトにおいて、長手方向に沿って側面に設けられた螺旋状の切り欠き部と、回転軸方向に設けられるとともに端部から前記切欠き部へと通じる貫通穴と、を備えたことを特徴とするものである。
【発明の効果】
【０００５】
本発明によると、ケーブルを挿通する関節部分の部品点数が少なくて済むため、信頼性の向上、コストダウン及び作業性の向上につながる。
また、ケーブルにねじり以外の力が生じにくいため、ケーブルの耐久性が向上し、動作角度の拡大も容易に行うことができる。
【発明を実施するための最良の形態】
【０００６】
以下、本発明の実施の形態について図を参照して説明する。
【実施例１】
【０００７】
図１は本発明の第１実施例を示す関節部の断面図及び側面図である。図において、１はモータ、２はモータ１に直結された減速機である。３は減速機２に直結されたシャフトであり、一端に貫通穴４、シャフト側面部に貫通穴４に通じる螺旋状の斜めの切り欠き５を有する。動力は、モータ１、減速機２、シャフト３を介して伝達される。６は機内配線ケーブルであり、保護バネ７の中を通っている。機内配線ケーブル６は、貫通穴４よりシャフト３の中に入り、切り欠き５よりシャフト３の外に出る。
なお、機内配線ケーブル６と保護バネ７の両端は固定部品８、９により共に固定されている。
【０００８】
図２は、シャフト回転時のケーブル挙動を示す説明図である。図２において、モータ１が回転すると減速機２を介してシャフト３が回転する。そうすると、機内配線ケーブル６とこれを覆う保護バネ７は、シャフト３の螺旋状の切り欠き５に沿って移動する。
従って、機内配線ケーブル６にはねじりの力だけが主に発生し、その他の力はほとんど受けない。
また、機内配線ケーブル６は保護バネ７により保護されているため、移動の際にシャフト３との磨耗が生じない。
【０００９】
このように、従来と比べてケーブルを挿通する関節部分の部品点数が少なくて済むため、信頼性の向上、コストダウン及び組立作業性の向上につながる。
また、ケーブルにねじり以外の力が生じにくいため、ケーブルの耐久性が向上し、動作角度の拡大も容易に行うことができる。
【００１０】
なお、上記実施例においては、産業用ロボットについて説明したが、一般的なモータ等の駆動手段とシャフトからなる駆動装置についても適用は容易である。
また、一般に産業用ロボットは複数の関節部を有するが、任意の関節部において適用可能である。
【図面の簡単な説明】
【００１１】
【図１】本発明の第１実施例を示す関節部の断面図及び側面図
【図２】シャフト回転時のケーブル挙動を示す説明図
【図３】従来の産業用ロボットの関節部を示す説明図
【符号の説明】
【００１２】
１  モータ
２  減速機
３  シャフト
４  貫通穴
５  切り欠き
６  機内配線ケーブル
７  保護バネ
８、９  固定部品
【図１】
2008006552.tif 000003
【図２】
2008006552.tif 000004
【図３】
2008006552.tif 000005
(57)【要約】【課題】本機は横型サイクロンにて、送風機の吸込み側に取り付け、分離するものです。分離するものは選ばず、あらゆるものを分離します。粒子の荒い物体は分離しやすく、粒子の細かい物体は、大型化および直列に配置することによって分離可能です。機内静圧がない為、能力低下がありません。フィルター，網等の回収機などと比べると、能力、効率、省電力、メンテナンスの軽減、消耗品などあらゆる面で優れています。【解決手段】横型にすることによって、設置場所、設置スペース、メンテナンススペースに限定されないので、既設設備への取付け、機器への組み込み取付け等が可能です。【選択図】  なし【特許請求の範囲】
【請求項１】
横型サイクロンにて、きゅういん送風機を吐出側に配置することにより、フィルターなしでも粉塵、風綿その他の物体（気体、液体、固体）が送風機及びローターの付着がない。さらに、吸込み口から吸引した気体に液体を噴霧し分離した固体を回収する。加湿機等又は空調機器、空気清浄機、集塵機、除湿機、乾燥機、搬送ファン等さまざまな分野に利用することが出来る。
【発明の詳細な説明】
【技術分野】
【０００１】
本発明は横型サイクロンに関するものである
【背景技術】
【０００２】
従来の製品は縦型にて屋外又は室内に設置し、集中型となり本体も大きく送風機も大きくなる。例として木材加工現場等に集塵機用として使用されているが、設置場所も必要である。本発明は横型で、個別運転が可能で、又設置場所も選ばず、送風機をサイクロン後に取り付けることによって、フィルター等を無くした無静圧で、省電力、ノーメンテナンスのサイクロン式集塵機に関するものである。この原理を利用し、集塵目的のほか、空調大型機からルームエアコンまでの埃の回収や、スプレー加湿などの水が蒸発した後に発生する成分の回収、機器組み込み等さまざまに利用出来る。
【発明の開示】
【発明が解決しようとする課題】
【０００３】
集塵機を例にあげると、次のような欠点があった。
（イ）送風機の羽根に集塵物が付着する為の送風機内の清掃
（ロ）固形物を吸引した時は、羽根を損傷
（ハ）設置場所の確保
（ニ）個別運転が難しく、集中型となり節電とならない。
（ホ）粒子の細かい物体には、フィルターを利用すると、詰りよる能力低下、消費電力の増大によって高発熱となる。
本発明は、以上のような欠点をなくす為に開発されたものである。
【課題を解決するための手段】
【０００４】
塵を含む気体を吸込む。吸込み側に送風機を配置するのではなく、横型にてフィルター等をなくした吐出側に配置した本機である。本発明は以上の構成からなる横型ノーメンテナンスサイクロン分離機である。
【発明の効果】
【０００５】
（イ）送風機内の清掃、羽根の損傷ごみの付着が少ない。
（ロ）横型で個別に取り付けするので、天井内天井下等設置場所を選ばない。
（ハ）小型化され、抵抗となるフィルター、網等を使用しないので、目詰まりからの機器の発熱がなく省電力となる。さらに必要な個所だけの個別運転が可能となり省電力化される。
（ニ）分離する物体に掛かるメンテナンス、気体を回収するときの気体フィルター、液体を回収するときの処理器、液体フィルター等ランニングコストや設備費用の軽減が出来る。
【発明を実施するための最良の形態】
【０００６】
以下本発明の実施の形態について説明する。横型サイクロン分離機の吸込み口に気体、液体、固体の回収を目的としたものに取付け、サイクロン通過後に送風機を配置する。集めた物体を手動、自動にて排出する。本発明は、以上のような構造で構成されている。
【図面の簡単な説明】
【０００７】
【図１】本発明の実施例の分解斜視図である。（実施例１）
【図２】本発明の実施例の正面図である。（実施例２）横置した本体の先端にＡを設けＡの下方に３を設け、本体後方端に４．５を設け、本体後方下方に入り口を有し本体内にＢを取り付けてある。
【符号の説明】
【０００８】
１  吸込み口
２  サイクロン本体部
３  分離物排出口
４  送風機
５  モーター
６  吐出口
【図１】
2008006315.tif 000002
【図２】
2008006315.tif 000003
(57)【要約】【課題】最低限の運動量で鉛筆のラインを消し取ることが出来るゴム型多層露出式消しゴムを提供する。【解決手段】ゴム型（１）ゴム型（２）ゴム型（３）ゴム型（４）に、固定カバー（５）を設けたことを特徴とする。【選択図】図１
2008006799.tif 000002
【特許請求の範囲】
【請求項１】
鉛筆で描いたライン溝に複数のゴム型を接触させ上部より圧力を加えゴム型を露出させながら前後に移動させることにより最低の運動量でラインを消すことができるゴム型多層露出式消しゴムを提供する。
【発明の詳細な説明】
【技術分野】
【０００１】  本発明は、最低の運動量で鉛筆のラインを消すことの簡素化を図ったゴム型多層露出式消しゴムに関する。
【背景技術】
【０００２】  最低の運動量で鉛筆のラインを消しとることができる消しゴムが必要だった。
【発明の開示】
【発明が解決しようとする課題】
【０００３】  従来の消しゴムでは一度で鉛筆のラインを完全に消し取ることが出来ない欠点があった。本発明は、その欠点を除くために考案した。
【課題を解決するための手段】
【０００４】  複数のゴム型を多層式としたものを上部より加える圧力と前後移動の運動により各ゴム型が露出し鉛筆のライン溝に接触することで最低の運動量で消し取ることを可能にした。
【発明の効果】
【０００５】  最低の運動量で鉛筆のラインを消すことが可能になり作業効率が向上した。
往復運動が最小限で済みゴム粕を最小限しか出さず環境性が向上した。
【発明を実施するための最良の形態】
【０００６】  複数のゴム型を多層式とし固定するためのカバーで覆い鉛筆のライン溝上にセット、上部より圧力を加え各ゴム型を露出させライン上を前後に移動させることにより最低限の運動量で消し取られる。
【図面の簡単な説明】
【０００７】
【図１】本発明の実施形態を示すゴム型多層露出式消しゴムの部分断面図である。
【図２】本発明の斜視図である。
【符号の説明】
【０００８】      １  ゴム型
２  ゴム型
３  ゴム型
４  ゴム型
５  固定カバー
【図１】
2008006799.tif 000003
【図２】
2008006799.tif 000004